(57)【特許請求の範囲】
【請求項１】
水槽内に水平状態で設置された吐出導管の導入口と、水槽内を昇降される水中ポンプの吐出口とが自動的に着脱されるようになった水中ポンプの着脱機構であって、
前記吐出導管に連結された水中ポンプの振動を防止すべく、導入口の左右の各側部または水中ポンプの吐出口の左右の各側部から、水中ポンプの吐出口または導入口にそれぞれ嵌合するように突出する振れ止め突起部が設けられていることを特徴とする水中ポンプの着脱機構。
【発明の詳細な説明】
【０００１】
【発明の属する技術分野】
本発明は、汚水槽等に貯留される汚水を排出するために使用される水中ポンプが、汚水槽の底部に設置された吐出導管に対して自動的に着脱されるようになった水中ポンプの着脱機構に関する。
【０００２】
【従来の技術】
汚水が貯留される汚水槽内では、底部に水中ポンプを設置して、汚水槽内に貯留される汚水を、水中ポンプによって汚水槽から排出することが行われている。
この場合、狭小な汚水槽内にて、作業員による水中ポンプの据え付け作業を不要にするために、汚水槽内に設置された吐出導管に対して水中ポンプの吐出口を自動的に着脱し得るようになった水中ポンプの着脱機構が例えば、特開平８−２７７７９６号公報に開示されている。
【０００３】
この公報に開示された水中ポンプの着脱機構では、図５に示すように、汚水槽の底部に予め水平状態で設置された吐出導管４０に対して、水中ポンプ本体部に一体的に取り付けられる連結管３０が着脱されるようになっている。連結管３０は、水中ポンプのポンプケーシングとは連通状態になっており、ポンプケーシング内に吸引された汚水が、吐出口３１から吐出されるようになっている。吐出口３１は、水平方向に開口している。連結管３０における吐出口３１の上部には、吐出口３１の前方に水平に延出するスライダー３２が設けられている。このスライダー３２は、汚水槽内に上下方向に沿って配置された一対のガイドパイプにガイドに沿ってスライドするようになっている。
【０００４】
汚水層の底部に据え付けられた吐出導管４０には、連結管３０の吐出口３１が接続されるように水平方向に開口した導入口４３が一方の端部に設けられており、この導入口４３の上部には、上方に突出したガイドリブ４２が、左右方向に沿った直線状に設けられている。連結管３０に設けられたスライダー３２の下部には、このガイドリブ４２が嵌入する係合凹部３３が設けられている。
【０００５】
このような構成の着脱機構では、各ガイドパイプに沿ってスライダー３２がスライドされることによって水中ポンプが汚水槽内を下降されると、吐出導管４０に設けられたガイドリブ４２が、スライダー３２に設けられた係合凹部３３内に嵌入することにより、連結管３０の吐出口３１と吐出導管４０の導入口４３とが整合状態で連結される。
【０００６】
このような水中ポンプの着脱機構は、水中ポンプのポンプケーシングが合成樹脂によって構成されており、また、連結管３０および吐出導管４０も同様に合成樹脂によって構成されている。そして、吐出導管４０における導入口４３の下方には、連結される連結管３０側に向かって突出した係合リブ４９が、上下方向に沿って一体的に設けられている。また、連結管３０における吐出口３１の下部には、図６に示すように、吐出導管４０に設けられた係合リブ４９の上端部に嵌合される二股状の係合部３９が設けられている。
【０００７】
このような構成の水中ポンプの着脱機構では、合成樹脂製の連結管３０に一体的に設けられた係合部３９と、合成樹脂製の吐出導管４０に一体的に設けられた係合リブ４９とが係合することによって、水中ポンプが駆動される際の振動が抑制され、連結管３０と吐出導管４０とが外れることが防止される。
【０００８】
【発明が解決しようとする課題】
しかしながら、このように、連結管３０に係合部３９を一体的に設け、しかも、吐出導管４０にも係合リブ４９を一体的に設ける構成では、連結管３０および吐出導管４０のそれぞれの製造が煩雑であり、しかも、経済性が損なわれるという問題がある。また、連結管３０および吐出導管４０を合成樹脂ではなく鋳物によって構成する場合には、作業性、経済性等の問題によって、このような水中ポンプの振動防止機構が設けられていないのが現状である。
【０００９】
本発明は、このような問題を解決するものであり、その目的は、水中ポンプの振動による吐出口と吐出導管の導入口とが外れることを、簡潔な構造で確実に防止することができる、水中ポンプの着脱機構を提供することにある。
【００１０】
【課題を解決するための手段】
本発明の水中ポンプの着脱機構は、水槽内に水平状態で設置された吐出導管の導入口と、水槽内を昇降される水中ポンプの吐出口とが自動的に着脱されるようになった水中ポンプの着脱機構であって、前記吐出導管に連結された水中ポンプの振動を防止すべく、導入口の左右の各側部または水中ポンプの吐出口の左右の各側部から、水中ポンプの吐出口または導入口にそれぞれ嵌合するように突出する振れ止め突起部が設けられていることを特徴とする。
【００１１】
【実施の形態】
以下、本発明の実施の形態を図面に基づいて詳細に説明する。
【００１２】
図１は本発明の着脱機構を有する水中ポンプの実施の形態の一例を示す一部破断側面図である。この水中ポンプ１０は、例えば汚水槽の底部内に設置されて、汚物、異物等を含む汚水を汚水槽から排出するために使用される。水中ポンプ１０は、内部に羽根車１３が配置されたポンプケーシング１１と、このポンプケーシング１１の上方に配置されたモーター１２とを有している。
【００１３】
モーター１２のローターシャフト１２ａは、モーター１２の下方に設けられたポンプケーシング１１内に下端部が進入しており、ローターシャフト１２ａの下端部に羽根車１３が取り付けられている。羽根車１３が収容されたポンプケーシング１１の内部は、ポンプ室１１ａになっており、ポンプケーシング１１内の羽根車１３が回転されると、ポンプケーシング１１の底面に設けられた吸引口１１ｃから、汚水槽内の汚水がポンプ室１１ａ内に吸引される。ポンプ室１１ａには、側方に向かって直線状に延出する吐出管部１４が一体的に設けられており、ポンプ室１１ａ内に吸引された汚水が、吐出管部１４内に吐出される。
【００１４】
ポンプケーシング１１のポンプ室１１ａから側方に突出するように設けられた吐出管部１４は、先端部が上方に向かうように湾曲されており、その先端部に、連結管１５の一方の基端部が一体的に取り付けられている。この連結管１５は、吐出管部１４に取り付けられた基端部を除いてほぼ水平になっており、吐出管部１４に取り付けられた基端部が下方に向かうように湾曲されている。連結管１５の水平になった先端部には、側方に向かって水平に開口する吐出口１５ｂが設けられている。
【００１５】
図２は、連結管１５における吐出口１５ｂの正面図である。吐出口１５ｂにおける左右の各側部の外周面は、それぞれ、垂直な平坦面１５ａになっている。
【００１６】
水中ポンプ１０は、その上端部に設けられた取っ手部１９に、チェーン等が係止された状態で汚水槽内を下降され、汚水槽の底部に配置された吐出導管２１に連結されるようになっている。
【００１７】
図３は、汚水槽の底部に据え付けられた吐出導管２１に連結管１５が連結された状態の平面図、図４は、吐出導管２１の平面図である。図１に示すように、吐出導管２１は、汚水槽の底部に据え付けられる支持台２２の上部に、水平状態になるように一体的に設けられており、水平になった一方の端部に、側方に向かって水平に開口する導入口２１ｂが設けられている。吐出導管２１の他方の端部は、上方に向かって湾曲しており、その湾曲部分が、汚水槽内に垂直に配置された排出管２４の下端部に接続されている。図３および図４に示すように、吐出導管２１の左右の各側方には、水中ポンプ１０を下降させる際にガイドするほぼ垂直なガイドパイプ２３の下端部が、それぞれ支持されている。
【００１８】
図１〜図３に示すように、連結管１５には、各ガイドパイプ２３にスライド可能に係合されるスライダー１７が一体的に設けられている。スライダー１７は、連結管１５の吐出口１５ｂの上部から垂直に上方に延出した連結部１７ａと、その連結部１７ａの上端から吐出口１５ｂ上を越えてその前方に水平に延出する平板状のスライダー本体部１７ｂとを有している。スライダー本体部１７ｂの先端部における左右の各側部には、汚水槽内に配置された各ガイドパイプ２３がそれぞれ挿通する半円形状に窪んだガイド溝１７ｃ（図３参照）がそれぞれ設けられている。また、スライダー本体部１７ｂの前後方向の中程における下面には、図１に示すように、下方に突出する係合突出部１７ｄが設けられており、この係合突出部１７ｄと連結管１５に垂直に設けられた連結部１７ａとの間に、嵌合凹部１７ｅが形成されている。係合突出部１７ｄにおける連結部１７ａに対向する面は、下側になるにつれて順次連結部１７ａから離れるように傾斜したテーパー面１７ｆになっている。
【００１９】
図１に示すように、吐出導管２１の導入口２１ｂにおける上部には、上方に突出するガイドリブ２１ｃが設けられている。このガイドリブ２１ｃは、左右方向に延びた状態になっており、連結管１５に一体的に設けられたスライダー１７の連結部１７ａと係合突出部１７ｄとの間の嵌合凹部１７ｅ内に嵌入し得るようになっている。そして、スライダー１７に設けられた係合突出部１７ｄが、このガイドリブ２１ｃに係合されるようになっている。ガイドリブ２１ｃは、係合突出部１７ｄのテーパー面１７ｆに対向した面が、そのテーパー面１７ｆと同様に傾斜したテーパー面２１ｄになっており、ガイドリブ２１ｃが嵌合凹部１７ｅ内に嵌入する際に、係合突出部１７ｄのテーパー面１７ｆがガイドリブ２１ｃのテーパー面１７ｄにガイドされるようになっている。
【００２０】
吐出導管２１の導入口２１ｂの左右の各側部には、導入口２１ｂに連結される連結管１５の各側方に向かって水平に突出する振れ止め突起部２１ｅが、それぞれ上下に各一対設けられている。各振れ止め突起部２１ｅは、内側の側面が先端側になるにつれて外側に向かって順次傾斜した状態になっている。前述したように、連結管１５における吐出口１５ｂの左右の各側部の外周面は、平坦面１５ａになっており、左右の各一対の振れ止め突起部２１ｅ間に、吐出口１５ｂが嵌合されて、各平坦面１５ａが、各振れ止め突起部２１ｅに対向するようになっている。
【００２１】
水中ポンプ１０は、汚水槽内にほぼ垂直に設けられた一対のガイドパイプ２３に沿って、水中ポンプ１０の連結管１５に設けられたスライダー１７が下方にスライドされることにより汚水槽内を下降される。そして、スライダー１７に設けられた係合突出部１７ｄのテーパー面１７ｆが、吐出導管２１のガイドリブ２１ｃに設けられたテーパー面２１ｄに案内されて、ガイドリブ２１ｃが、スライダー１７の嵌合凹部１７ｅ内に嵌入される。これにより、水中ポンプ１０の連結管１５と、汚水槽の底部に据え付けられた吐出導管２１とが、同心状態で連結される。
【００２２】
このとき、連結管１５の先端部における垂直な平坦面１５ａは、吐出導管２１の導入口２１ｂから突出した左右各一対の振れ止め突起部２１ｅ間に進入し、連結管１５の吐出口１５ｂと、吐出導管２１の導入口２１ｂとが整合状態で位置決めされる。
【００２３】
このようにして、汚水槽内に水中ポンプ１０が設置されると、水中ポンプ１０のモーター１２が駆動されて、ポンプケーシング１０内に配置された羽根車１３が回転される。これにより、吸引口１１ｃからポンプケーシング１０の周囲の流体がポンプ室１１ａ内に流入し、ポンプ室１１ａ内を渦流となって通過して、吐出管部１４を通って連結管１５内に流入する。連結管１５内に流入した流体は、吐出導管２１内に吐出され、この吐出導管２１に連結された排水管２４内を通って、汚水槽から排出される。
【００２４】
この場合、連結管１５の吐出口１５ｂは、吐出導管２１の導入口２１ｂに設けられた左右各一対の振れ止め突起部２１ｅ間に嵌合した状態になっているために、水中ポンプ１０のモーター１２が駆動されることによって発生する振動が抑制され、連結管１５の吐出口１５ｂが、吐出導管２１の導入口２１ｂに対してずれたり、連結管１５が吐出導管２１から外れるおそれがない。
【００２５】
【発明の効果】
本発明の水中ポンプの着脱機構は、このように、水中ポンプの吐出口に嵌合される吐出導管の左右の各側部に振れ止め突起部を設けることによって、水中ポンプの振動を確実に抑制することができるようになっている。また、製造がきわめて容易であり、鋳物によっても容易に製造することができる。その結果、水中ポンプの着脱機構を経済的に製造することができる。
【図面の簡単な説明】
【図１】本発明の水中ポンプの着脱機構によって連結された吐出導管と水中ポンプとの連結状態を示す一部破断側面図である。
【図２】水中ポンプに設けられた連結管における吐出口の正面図である。
【図３】水中ポンプの連結管と吐出導管とが接続された状態の平面図である。
【図４】連結管を吐出導管から外した状態の平面図である。
【図５】従来の水中ポンプの着脱機構の一例を示す側面図である。
【図６】その要部を拡大して示す断面図である。
【符号の説明】
１０  水中ポンプ
１１  ポンプケーシング
１２  モーター
１３  羽根車
１４  吐出管部
１５  連結管
１５ａ  平坦面
１５ｂ  吐出口
１７  スライダー
１７ａ  連結部
１７ｂ  スライダー本体部
１７ｃ  ガイド溝
１７ｄ  係合突出部
１７ｅ  嵌合凹部
２１  吐出導管
２１ｂ  導入口
２１ｃ  ガイドリブ
２１ｅ  振れ止め突出部
【図１】
0003694140.tif 000002
【図２】
0003694140.tif 000003
【図３】
0003694140.tif 000004
【図４】
0003694140.tif 000005
【図５】
0003694140.tif 000006
【図６】
0003694140.tif 000007